(57)【要約】【課題】非使用状態では操作パネルが露出せず、使用する場合には前面に突出させて容易に操作できるようなものであるにもかかわらず、調理器具本体の内部の電装部品や操作パネルの点検あるいは電池の交換が容易に行える。【解決手段】調理器具本体１の前面に操作パネル５を備えた可動部材１０を操作パネル５が外部に露出しないように調理器具本体１内に収納した状態と調理器具本体１の外に露出する非収納状態とを選択できるように可動自在に取付ける。操作パネル５を調理器具本体１内に収納した状態で可動部材１０の前面となる部位に上記調理器具本体１内に連通する開口部２０を設けると共に該開口部２０を開閉するための蓋２１を設ける。【選択図】        図１
2004263903.tif 000002
【特許請求の範囲】
【請求項１】
調理器具本体の前面に操作パネルを備えた可動部材を操作パネルが外部に露出しないように調理器具本体内に収納した状態と調理器具本体の外に露出する非収納状態とを選択できるように可動自在に取付け、操作パネルを調理器具本体内に収納した状態で可動部材の前面となる部位に調理器具本体内に連通する開口部を設けると共に該開口部を開閉するための蓋を設けて成ることを特徴とする調理器具。
【請求項２】
調理器具本体の前面部に可動部材取付け部を設け、この可動部材取付け部の取付け用開口の両側部に設けた取付け部側軸支部に可動部材の両側の外面側に設けた外面側被軸支部を着脱自在に軸支して可動部材取付け部の両側部間に可動部材を回動自在に取付けると共に、可動部材の両側部の内面側に設けた内面側軸支部に蓋の両側部に設けた蓋側被軸支部を着脱自在に軸支して可動部材の両側部間に開口部を開閉するための蓋を回動自在に取付けて成ることを特徴とする請求項１記載の調理器具。
【請求項３】
調理器具本体内に電池収納部を設け、該電池収納部を可動部材に設けた蓋を備えた開口部と対向する位置に配設して成ることを特徴とする請求項１又は請求項２記載の調理器具。
【請求項４】
調理器具本体にグリルと複数のガスこんろ部とを備えた調理器具において、調理器具本体に調理器具本体の上面の少なくとも左右にガスこんろ部を配設し、左右のガスこんろ部のうちの一つをなべ底の温度を検知して燃焼制御を行うようにした温度センサ付きガスこんろ部とし、調理器具本体の前面の左右に可動部材取付け部を設け、左右両可動部材取付け部にガスこんろ部に対する調理設定入力操作を行うための操作パネルを備えたガスこんろ側可動部材と、グリルに対する調理設定入力操作を行うための操作パネルを備えたグリル側可動部材とを取付け可能として、左右両可動部材取付け部のうち温度センサ付きガスこんろ部側の可動部材取付け部にガスこんろ側可動部材を取付けると共に他方の可動部材取付け部にグリル側可動部材を取付けて成ることを特徴とする請求項１乃至請求項３のいずれかに記載の調理器具。
【発明の詳細な説明】
【０００１】
【発明の属する技術分野】
本発明は、グリル付きこんろのような調理器具に関するものである。
【０００２】
【従来の技術】
従来からグリル付きこんろのような調理器具において、調理器具本体の前面に操作パネルを備えた可動部材を操作パネルが外部に露出しないように調理器具本体内に収納した状態と調理器具本体の外に露出する非収納状態とを選択できるように可動自在に取付けたものが知られている。（例えば、特許文献１参照）
上記特許文献１に示される従来例にあっては、操作パネルを使用しない場合に操作パネルを収納することで調理器具の前面の外観をすっきりした外観とすると共に操作パネルが汚れないようにできるという特徴を有している。ところが、このような従来例にあっては、調理器具本体への可動部材の取付けがし難く、また、可動部材に操作パネルを設けてあるので調理器具本体内の各電装部品と可動部材に設けた操作パネルの配線の接続作業がし難いという問題があった。また、調理器具本体内に内装された電装部品や操作パネルの修理や交換に当たって、従来においては調理器具本体の排気カバー、五徳、バーナヘッド、天板等を順次取り外して行わなければならず、多大の労力と時間を要するという問題があった。
【０００３】
更に、一般的にガスコンロにおいては前面に電池ケースを設けており、このように前面に電池ケースを設けるものにおいては前面における操作パネルを取付けるための可動部材を配置できる面積に制限があり、このため、可動部材が大きくできず、このため操作パネルも小さくなって、操作性が悪くなるという問題がある。
【０００４】
また、調理器具本体の前面に設けた操作パネルを取り外して調理器具本体の内部の電装部品の修理、交換を行うようにしたものも従来から知られている。（例えば、特許文献２参照）
ところが、この特許文献２に示される従来例にあっては、簡単な点検や電池交換などの場合も操作パネルを取り外して点検や電池交換を行わなければならず、この場合、操作パネルを取り外して電気的接続も解除してしまうので、例えば、電池を交換した場合に、正常に動作するか否かの動作確認を操作パネルを操作して行おうとしてもできず、電気的接続を行って操作パネルを取付けてからしか上記動作確認ができず、仮に正常な動作が行われない場合には再び操作パネルを外し、電池のセットをやり直す必要があり、非常に手間がかかるという問題があった。
【０００５】
【特許文献１】
実開昭６１−９１７１７号公報
【特許文献２】
実開平６−８４２０１号公報
【０００６】
【発明が解決しようとする課題】
本発明は上記の点に鑑みてなされたものであり、非使用状態では操作パネルが露出せず、使用する場合には前面に突出させて容易に操作できるようなものであるにもかかわらず、調理器具本体の内部の電装部品や操作パネルの点検あるいは電池の交換が容易に行え、また、操作パネルを備えた可動部材を調理器具本体に対して容易に取付けることが出きると共に可動部材に設けた操作パネルと調理器具本体の内部の電装部品との電気的接続作業も容易に行え、また、調理器具本体の上面の左側に温度センサ付きガスこんろ部がある機種、右側にある機種のいずれの場合も部品を共用して温度センサ付きガスこんろ部側にガスこんろ側可動部材を位置するように取付けることができると共に取付けも容易となる調理器具を提供することを課題とするものである。
【０００７】
【課題を解決するための手段】
上記課題を解決するために本発明に係る調理器具は、調理器具本体１の前面に操作パネル５を備えた可動部材１０を操作パネル５が外部に露出しないように調理器具本体１内に収納した状態と調理器具本体１の外に露出する非収納状態とを選択できるように可動自在に取付け、操作パネル５を調理器具本体１内に収納した状態で可動部材１０の前面となる部位に上記調理器具本体１内に連通する開口部２０を設けると共に該開口部２０を開閉するための蓋２１を設けて成ることを特徴とするものである。
【０００８】
このような構成とすることで、調理器具本体１の内部の電装部品や操作パネル５の点検、修理、交換、配線の接続、接続解除作業を行うに当たって、可動部材１０に設けた蓋２１を開いて開口部２０をオープンにして行うことができて、点検、修理、交換、配線の接続、接続解除作業が容易に行えると共に、操作パネル５を備えた可動部材１０に蓋２１付きの開口部２０を設けることで、可動部材１０を有効に利用して開口部２０を形成できて可動部材１０とは別に点検、修理、交換のための別途蓋付き開口部を調理器具本体１の前面に設ける必要がないものである。
【０００９】
また、調理器具本体１の前面部に可動部材取付け部９を設け、この可動部材取付け部９の取付け用開口部９ａの両側部に設けた取付け部側軸支部２２に可動部材１０の両側部の外面側に設けた外面側被軸支部２３を着脱自在に軸支して可動部材取付け部９の両側部間に可動部材１０を回動自在に取付けると共に、可動部材１０の両側部の内面側に設けた内面側軸支部２５に蓋２１の両側部に設けた蓋側被軸支部２４を着脱自在に軸支して可動部材１０の両側部間に開口部２０を開閉するための蓋２１を回動自在に取付けることが好ましい。
【００１０】
このような構成とすることで、蓋２１を取付けない状態で可動部材１０の両側を内側に撓ませながら可動部材１０の外面側被軸支部２３を可動部材取付け部９の取付け用開口部９ａの両側部の取付け部側軸支部２２に軸支して取付けることができ、また、蓋２１の両端部の蓋側被軸支部２４を可動部材１０の両側部の内面側に設けた内面側軸支部２５に軸支して取付けることができ、取り外しに当たっては上記と逆の順序で簡単に取り外すことができるものである。そして、取付け状態においては、蓋２１を軸支することで可動部材１０が内側に撓もうとしても蓋２１が抵抗となって内側に撓むのが防止され、これにより蓋２１を取り外さない限り可動部材１０が可動部材取付け部９から外れ難い構造とすることができるものである。
【００１１】
また、調理器具本体１内に電池収納部２６を設け、該電池収納部２６を可動部材１０に設けた蓋２１を備えた開口部２０と対向する位置に配設することが好ましい。
【００１２】
このような構成とすることで、操作パネル５を備えた可動部材１０を調理器具本体１に取付けた状態のまま蓋２１を外して開口部２０を利用して電池収納部２６にセットする電池の交換が容易に行えるものである。
【００１３】
また、調理器具本体１にグリル３と複数のガスこんろ部２とを備えた調理器具Ａにおいて、調理器具本体１に調理器具本体１の上面の少なくとも左右にガスこんろ部２を配設し、左右のガスこんろ部２のうちの一つをなべ底の温度を検知して燃焼制御を行うようにした温度センサ付きガスこんろ部２ａとし、調理器具本体１の前面の左右に可動部材取付け部９を設け、左右両可動部材取付け部９にガスこんろ部２に対する調理設定入力操作を行うための操作パネル５を備えたガスこんろ側可動部材１０ａと、グリル３に対する調理設定入力操作を行うための操作パネル５を備えたグリル側可動部材１０ｂとを取付け可能として、左右両可動部材取付け部９のうち温度センサ付きガスこんろ部２ａ側の可動部材取付け部９にガスこんろ側可動部材１０ａを取付けると共に他方の可動部材取付け部９にグリル側可動部材１０ｂを取付けることが好ましい。
【００１４】
このような構成とすることで、温度センサ付きガスこんろ部２ａが左側に配置された器具、右側に配置された器具のいずれに対しても簡単に温度センサ付きガスこんろ部２ａ側の可動部材取付け部９にガスこんろ側可動部材１０ａを取付けることができ、部材の共通化と取付けの共通化が図れるものである。
【００１５】
【発明の実施の形態】
以下、本発明を添付図面に示す実施形態に基づいて説明する。以下の実施形態では調理器具としてグリル付きガスこんろＡを例として説明する。
【００１６】
グリル付きガスこんろＡは調理器具本体１にガスこんろ部２とグリル３とを備えたもので、添付図面に示す実施形態においてはシステムキッチンに装備されるドロップインタイプのグリル付きガスこんろＡが示してある。
【００１７】
グリル付きガスこんろＡの主体を構成する調理器具本体１内部には左右方向の中央部にグリル３が配設してあり、調理器具本体１の前面の左右方向の中央部にグリル３のグリル扉３ａが配置してある。
【００１８】
調理器具本体１の上面にはガスこんろ部２が複数配設してあり、添付図面に示す実施形態では調理器具本体１の上面に３つのガスこんろ部２が配設してあり、３つのガスこんろ部２は上面の手前側の左側、右側、及び上面の後側の左右方向の中央部にそれぞれ配設してある。ここで、左右に配設したガスこんろ部２は一方がなべ底の温度を検知して燃焼制御を行うようにした温度センサ付きガスこんろ部２ａとなっており、左右に配設したガスこんろ部２の他方が高火力ガスこんろ部２ｂとなっている。添付図面に示す実施形態では左側に温度センサ付きガスこんろ部２ａを配設し、右側に高火力ガスこんろ部２ｂを配設した例が示してある。また、後方上面の後側の左右方向の中央部にそれぞれ配設したガスこんろ部２は小火力ガスこんろ部２ｃとなっている。
【００１９】
調理器具本体１の前面の上部（添付図面に示す実施形態では左側の上部及び右側の上部）にはそれぞれ上記複数のガスこんろ部２の点火、消火操作を行うための点火・消火手動操作部４が設けてある。図１乃至図６に示す実施形態では前面の左側に温度センサ付きガスこんろ部２ａの点火、消火操作を行うための点火・消火手動操作部４ａを配設し、前面の右側に高火力ガスこんろ部２ｂの点火、消火操作を行うための点火・消火手動操作部４ｂと、小火力ガスこんろ部２ｃの点火、消火操作を行うための点火・消火手動操作部４ｃとを配設してあり、点火・消火手動操作部４ｂは点火・消火手動操作部４ｃよりも右側に配置してある。つまり、３つのガスこんろ部２が左側から右側にかけて温度センサ付きガスこんろ部２ａ、小火力ガスこんろ部２ｃ、高火力ガスこんろ部２ｂの順に配置してあるので、この配置に対応して３つの点火・消火手動操作部４も左側から右側にかけて温度センサ付きガスこんろ部２ａの点火、消火操作を行うための点火・消火手動操作部４ａ、小火力ガスこんろ部２ｃの点火、消火操作を行うための点火・消火手動操作部４ｃ、高火力ガスこんろ部２ｂの点火、消火操作を行うための点火・消火手動操作部４ｂの順に配設してある。
【００２０】
上記各点火・消火手動操作部４は添付図面においては前後方向に移動自在な押釦により構成してあり、点火・消火手動操作部４を構成する押釦は前後方向に移動自在で且つ前方に突出した状態で回動自在となっている。消火状態では点火・消火手動操作部４が後方に押されて押釦よりなる点火・消火手動操作部４の前面が調理器具本体１の前面と略面一状態となるように後退状態が保持されている。ガスこんろ部２の使用に当たっては、押釦よりなる点火・消火手動操作部４を押し操作して点火操作をすることで、後退していた点火・消火手動操作部４が前方に突出すると共にガスこんろ部２に点火される。この押釦よりなる点火・消火手動操作部４が前方に突出した状態で点火・消火手動操作部４を指で摘んで回動操作することでガスこんろ部２の火力調整ができるようになっている。一方、消火にあたっては、前方に突出している点火・消火手動操作部４を後方に押し操作することで、ガスこんろ部２の消火を行うと共に、点火・消火手動操作部４の前面が調理器具本体１の前面と略面一状態となるように後退状態で保持される。
【００２１】
調理器具本体１の前面の下部には操作パネル５を備えた可動部材１０が操作パネル５が外部に露出しないように調理器具本体１内に収納した状態と調理器具本体１の前面外方に露出する非収納状態とを選択できるように可動自在に取付けてある。添付図面に示す実施形態では調理器具本体１の前面の左右の下部にそれぞれ可動部材１０が回動自在に取付けてある。
【００２２】
調理器具本体１の前面部の左右（つまりグリル扉３ａの左右）にはそれぞれ可動部材取付け部９が設けてある。可動部材取付け部９は図７乃至図１３に示すように枠体２７により構成してあり、該枠体２７は調理器具本体１の前面部の左右に任意の固着手段により固着してある。可動部材取付け部９を構成する枠体２７には前面部の下部に取付け用開口部９ａが設けてあり、この取付け用開口部９ａの両側下部には取付け部側軸支部２２が設けてあり、添付図面に示す実施形態では軸孔により取付け部側軸支部２２が構成してある。枠体２７の前面部の上部には上開口２８が設けてある。上記枠体２７の内部の下部の一側部には取付け金具２９が取付けてあり、この取付け金具２９にキックばねとなるばね３０が取付けてある。図１３に示す実施形態ではばね３０としてねじりコイルばねが用いてある。また、取付け金具２９にはピニオン３１が回動自在に軸支してある。
【００２３】
更に、左右の枠体２７のうちいずれか一方の枠体２７の内部の下部には図１２、図１３に示すように取付け用開口部９ａの後方位置に取付け金具２９の隣に電池収納部２６が取付けてあり、この電池収納部２６は更に後端部に設けた取付け部２６ａを調理器具本体１に任意の取付け手段により取付けるようになっている。電池収納部２６は取付け用開口部９ａと対向する前面が開口していて前面開口から内部に調理器具本体１に設けた電装部品の電源となる電池をはめ込んで取付けたり、あるいは取り外して交換できるようになっている。
【００２４】
枠体２７の前面部の上部の上開口２８から調理器具本体１に設けたガスこんろ２の点火・消火手動操作部４が前方に向けて突出しており、この点火・消火操作部４が調理器具本体１の前面に枠体２７の前方を覆うように取付けた前面化粧板４０に設けた孔４０ａから前方に突出自在となっている。
【００２５】
可動部材１０は図１４に示すように上横片３２の両端部に下方に向けて両側片３３を一体に垂設した略コ字状をしており、上横片３２には操作パネル装着部３２ａが設けてあり、この操作パネル装着部３２ａに操作パネル５が装着してある。可動部材１０の両側片３３と上横片３２とに囲まれた部分は前方、下方、後方に開口した開口部２０となっている。可動部材１０の一方の側片３３の内面下部には弧状をしたラック部３４とばね当たり部３５とが突設してある。また可動部材１０の両側片３３の前端下端部には前記可動部材取付け部９の取付け用開口部９ａの両側部に設けた取付け部側軸支部２２に着脱自在に軸支するための外面側被軸支部２３と、後述の蓋２１の下端部の両端部に設けた蓋側被軸支部２４を着脱自在に軸支するための内面側軸支部２５が設けてある。添付図面に示す実施形態においては、可動部材１０の両側片３３の外面の前端下端部に外面側被軸支部２３を構成する軸を外側方に向けて突設し、可動部材１０の両側片３３の内面の前端下端部に内面側軸支部２５を構成する軸を内側方に向けて突設してあり、添付図面に示す実施形態においては外面側被軸支部２３を構成する軸と内面側軸支部２５を構成する軸とは同一軸線上に位置している。上横片３２は前側片３３の前縁部を垂直にした姿勢で後方側が下となるように傾斜しており、該上横片３２の後端部にはストッパ部３６が設けてある。また、上横片３２の前端部には係合部３７が設けてある。
【００２６】
蓋２１は図１５に示すようなもので、該蓋２１の背面部下端の左右両端部に後方に向けて突片３８が突設してあり、この突片３８に蓋側被軸支部２４を構成する軸孔２４ａが形成してある。軸孔２４ａには突片３８の下端部から切り込まれた着脱用切り込み部２４ｂと連通している。また、蓋２１の後面上端部には被係合部３９となる爪が設けてある。
【００２７】
しかして、調理器具本体１の前面部の可動部材取付け部９を構成する枠体２７に可動部材１０を回動自在且つ着脱自在に取付けるに当たっては、次のようにして行うものである。
【００２８】
すなわち、可動部材１０に蓋２１を取付けない状態で略コ字状をした可動部材１０の両側片３３を内側に撓ませることで両側片３３間の幅を少し縮めた状態で可動部材１０を枠体２７内に入れて、両側片３３の前端下端部に外側方に向けて突出した外面側被軸支部２３を構成する軸を枠体２７の取付け用開口部９ａの両側下部に設けた取付け部側軸支部２２を構成する孔に対向させ、この状態で側片３３を内側に撓ませている力を解除することで側片３３の弾性復元力により外面側被軸支部２３である軸を取付け部側軸支部２２である孔に図７に示すように回動自在に軸支する。この軸支状態ではキックばねとなるばね３０が可動部材１０の一側片３３の内面に設けたばね当たり部３５に当たり且つピニオン３１が弧状をしたラック部３４に噛み合う。
【００２９】
このようにして枠体２７に可動部材１０を取付けた後に、可動部材１０に図９に示すように、蓋２１を取付ける。蓋２１の取付けに当たっては、蓋側被軸支部２４を構成する軸孔２４ａを切り込み部２４ｂ部分から可動部材１０の両側片３３の前端下端部に内側方に向けて突出した内面側軸支部２５を構成する軸に着脱自在にはめ込む。この場合、軸孔２４ａの切り込み部２４ｂと連通する部分の連通開口幅は内面側軸支部２５を構成する軸の直径よりも少し小さくなっていて、該連通開口部分を押し広げるようにしてはめ込むことで蓋側被軸支部２４を構成する軸孔２４ａを内面側軸支部２５を構成する軸に回動自在に軸支する。この状態で蓋２１を回動し、蓋２１の上端部の被係合部３９を可動部材１０の係合部３７に着脱自在に係合して蓋２１により可動部材１０の前面側の開口部２０を図１０に示すように閉塞する。この蓋２１を閉じた状態では、蓋２１の上部は被係合部３９と係合部３７との係合が可動部材１０に対して蓋２１を上方及び前後方向に外れないような係合構造となっており、蓋２１の下部においては、切り込み部２４ｂが内面側軸支部２５を構成する軸よりも下方位置に位置して蓋２１が下方及び前後方向に外れない構造となっており、このため、係合部３７と被係合部３９との係合を外さないと切り込み部２４ｂ部分から蓋側被軸支部２４を内面側軸支部２５から外すことができないものである。
【００３０】
上記のように蓋２１を取付けた状態では可動部材１０が内側に撓もうとしても蓋２１が抵抗となって内側に撓むのが防止され、これにより蓋２１を取り外さない限り可動部材１０が可動部材取付け部９から外れ難い構造とすることができるものである。したがって、可動部材１０を外すにはまず、被係合部３９と係合部３７との係合を外し、その後、蓋２１を可動部材１０に対して回動した状態で切り込み部２４ｂ部分から蓋側被軸支部２４を内面側軸支部２５から外し、その後、可動部材１０の両側片３３を内側に撓ませて外面側被軸支部２３を取付け部側軸支部２２から外すことで可動部材１０を取り外すことができるものである。
【００３１】
上記のように蓋２１を取付けた状態で調理器具本体１の前面下部の左右に回動自在に取付けた可動部材１０は、操作パネル５を使用しない時にはばね３０の力に抗しながら後方に向けて回動することで操作パネル５を設けた上横片３２を調理器具本体１内に収納すると共に、可動部材１０の前面を調理器具本体１の前面の前面化粧板４０と略面一とし、この収納状態で可動部材１０を磁石あるいは係止部材により構成する保持手段により保持するようになっている。
【００３２】
ここで、係止部材による係止の一例につき説明すると、可動部材１０の上横片３２に図１４（ｂ）に示すように係止突部５０を設け、可動部材取付け部９に市販のキャッチ部材（例えば株式会社ニフコ社製の「浮き出しラッチ」）を取付けて上記係止突部とキャッチ部材とで係止部材を構成することができる。この係止部材は、可動部材１０を後方に回動して係止突部５０をキャッチ部材に押し込んで嵌め込むことで係止状態となり、係止解除に当たっては可動部材１０を再度後方に押すことで係止突部５０がキャッチ部材に押して係止が解除されるようになっている。つまり、係止突部５０の外面側を１回押すと係止突部５０がキャッチ部材に係止され、再び押すと係止突部５０とキャッチ部材との係止が解除される機構となっている。もちろん、係止部材としては上記の構造のものにのみ限定されるものではない。
【００３３】
そして、可動部材１０の前面を調理器具本体１の前面と略面一とした閉状態で、可動部材１０の前面上部を後方に押し込む操作をすることで、上記保持手段を構成する磁石による磁着や係止部材による係止を解除し、ばね３０の力で可動部材１０を前方に回動させるようになっている。この場合、ピニオン３１が弧状をしたラック部３４に噛み合っていることでばね３０による前方への回動速度がゆっくりとした回動速度となるようにしている。可動部材１０を前方に向けて回動すると、操作パネル５が調理器具本体１の前面から前方に突出して上方又は斜め上方を向く。この操作パネル５の前方への突出状態で、上横片３２の後端部のストッパ部３６が枠体２７の取付け用開口部９ａの上縁部の背面側の当たり部に当たってそれ以上の可動部材１０の前方への回動が阻止され、操作パネル５の前方への突出状態が維持されるようになっているので、前方に突出して上方又は斜め上方を向くように露出した操作パネル５を操作することができる。
【００３４】
ここで、両可動部材１０のうち一方の可動部材１０の上横片３２に設ける操作パネル５はグリル３に関する操作を行うためのグリル用調理設定入力部７が設けてあってこの操作パネル５がグリル側操作パネル５ｂとなり、他方の可動部材１０の上横片３２に設ける操作パネル５には温度センサ付きガスこんろ部２ａによる調理設定の入力を行うためのガスこんろ部用調理設定入力部８が設けてあってこの操作パネル５がこんろ部側操作パネル５ａとなっている。
【００３５】
図１６にはグリル用調理設定入力部７を備えた操作パネル５の一例を示しており、図１７にはガスこんろ部用調理設定入力部８を備えた操作パネル５の一例を示している。
【００３６】
グリル３による調理設定の入力を行うためのグリル用調理設定入力部７は図１６に示すように、グリル３の点火・消火操作をするための点火・消火スイッチ６、グリル３による調理時間（焼成時間）を設定するためのタイマスイッチ１１、上火、下火の火力を切替るための火力切替スイッチ１２、焼成するメニューを選んで該当する焼成物に対応した焼成制御を選択するためのメニュースイッチ１３、焼き加減を調整するための焼き加減スイッチ１４、上記タイマスイッチ１１、火力切替スイッチ１２、メニュースイッチ１３、焼き加減スイッチ１４等を操作して設定した各入力を取り消すための取消しスイッチ１５等を備えている。
【００３７】
一方、温度センサ付きガスこんろ部２ａによる調理設定の入力を行うためのガスこんろ部用調理設定入力部８は図１７に示すように、温度センサ付きガスこんろ部２ａによる調理時間を設定するためのタイマスイッチ１６、揚げ物、炊飯、湯沸し等の調理メニューを設定するためのメニュースイッチ１７、タイマスイッチ１６やメニュースイッチ１７を操作して設定した各入力を取り消すための取消しスイッチ１８等を備えている。図１７の実施形態ではメニュースイッチ１７として揚げ物スイッチ１７ａ、炊飯スイッチ１７ｂ、湯沸しスイッチ１７ｃが設けてあり、揚げ物スイッチ１７ａを何回押すかで２００℃、１８０℃、１６０℃といった複数種類の揚げ物の調理の中から目的とする温度の揚げ物調理が設定できるようにしてあり、また、炊飯スイッチ１７ｂを何回押すかでご飯、おかゆといった複数種類の炊飯の調理の中から目的とする炊飯の調理が設定できるようにしてあり、また、湯沸しスイッチ１７ｃを何回押すかで自動消火、５分保温といった湯沸し後にすぐ消火するか、あるいは一定時間保温するかといった湯沸しを選択して設定できるようにしてある。これらのガスこんろ部用調理設定入力部８において温度センサ付きガスこんろ部２ａにおける調理設定の入力が行われると、マイコンのような制御部（図示せず）によりあらかじめ設定された制御内容に基づいて温度センサ付きガスこんろ部２ａにおける火力調整、調理時間等が制御されるものであり、この場合、なべ底温度を温度センサ付きガスこんろ部２ａに設けた温度センサ２ｄにより検出して、該温度センサ２ｄで検出したなべ底温度を制御部に入力してフィードバック制御により火力調整を行うようになっている。
【００３８】
上記のような構成の本発明のグリル付きガスこんろＡの使用に当たっては以下のようにして行うものである。
【００３９】
すなわち、グリル３はガスこんろ部２に比べると日常的に頻繁に使用しないので、通常は可動部材１０を後方に回動して可動部材１０の上面に設けた操作パネル５が調理器具本体１内に収納されて外部に露出されず且つ可動部材１０の前面が調理器具本体１の前面と略面一の状態としておくものである。ここで、ガスこんろ部２を使用しない時は前述のように押釦よりなる点火・消火手動操作部４は後方に押し込まれて前面が調理器具本体１の前面と略面一となっているので、調理器具本体１の前面は図４のように凹凸のないすっきりした外観となる。
【００４０】
ここで、各ガスこんろ部２の使用に当たっては、押釦よりなる点火・消火手動操作部４を指で押すことで図２に示すように点火・消火手動操作部４を前方に突出するのであるが、この時該当するガスこんろ部２にガスが供給されると共に点火される。点火・消火手動操作部４が調理器具本体１の前面から突出した燃焼状態で突出した点火・消火手動操作部４を指で摘んで回動操作することで該当するガスこんろ部２の火力調整を行うものである。また、突出状態の点火・消火手動操作部４を押し込むことで消火されると共に押し込んで前面が調理器具本体１の前面と略面一となった状態で後退状態が維持される。
【００４１】
このように、ガスこんろ部２の使用に当たっては、調理器具本体１の前面に露出している点火・消火手動操作部４を直接指で操作して点火操作、火力調整操作、消火操作を行うものである。
【００４２】
ここで、温度センサ付きガスこんろ部２ａで自動調理の設定を行う場合は、上記のように押釦よりなる点火・消火手動操作部４を指で押して点火・消火手動操作部４を前方に突出させる点火操作を行った後、操作パネル５に設けたガスこんろ部用調理設定入力部８で目的とする調理設定の入力を行うことで、温度センサ付きガスこんろ部２ａによって目的とする調理がなされるように制御部により火力調整、調理時間等が制御されて自動調理が行われるものである。この場合、ガスこんろ部用調理設定入力部８で目的とする調理設定を行うにはガスこんろ部用調理設定入力部８を有する操作パネル５を備えた可動部材１０の前面上部を押して図３に示すようにガスこんろ部用調理設定入力部８を有する操作パネル５を調理器具本体１の前面から前方に突出して上方に露出させることで、上方を向いているガスこんろ部用調理設定入力部８の各スイッチを指で押してこんろ部調理の設定入力を行うものである。調理設定の入力が終わると、当該可動部材１０の前面上部を押して操作パネル５が外部に露出しないように収納する。これによりこんろ部２による調理中に操作パネル５が汚れるのを防止できる。
【００４３】
次に、グリル３を使用する場合につき説明する。グリル３はガスこんろ部２ほど日常的に頻繁に使用しないので、グリル用調理設定入力部７を有する操作パネル５を備えた可動部材１０の前面上部を押してグリル用調理設定入力部７を有する操作パネル５をこんろ本体１の前面から前方に突出して図１に示すように上方に露出させ、上方を向いているグリル用調理設定入力部７のメニュースイッチ１３や焼き加減スイッチ１４やタイマスイッチ１１を指で押すことで調理メニューや焼き加減や調理時間等のグリル調理の設定入力を行い、次に、点火・消火スイッチ６を指で押して点火入力操作を行ってグリル３に点火するものである。これによって目的とするグリル調理がなされるように制御部により火力調整、調理時間等が制御されて自動調理が行われるものである。上記調理設定の入力が終わると、当該可動部材１０の前面上部を押して操作パネル５が外部に露出しないように収納するものであり、これによりグリル３による調理中に操作パネル５が汚れるのを防止できる。なお、上記グリル３における自動調理中に自動調理を中止したい場合には点火・消火スイッチ６を指で押すことで消火して自動調理を中止できる。
【００４４】
上記のように、本発明においては、日常頻繁に使用するガスこんろ部２の点火や消火の操作に当たっては、調理器具本体１の前面に露出して設けた点火・消火手動操作部４を指で摘んで手動操作することで、点火、消火操作を行うことができて操作性が良いものであり、一方、日常頻繁に使用しないグリル３の点火・消火操作をするための点火・消火スイッチ６を備えた操作パネル５は通常は調理器具本体１の前面下部に収納して外部に露出しないようにしておくことで、前面の外観をすっきりすると共に日常使用する点火・消火手動操作部４の操作の邪魔にならないようにできると共に、ガスこんろ部２の点火・消火手動操作部４と操作パネル５に設けたグリル３の点火・消火スイッチ６とを混同しにくく、したがって、ガスこんろ部２の点火・消火操作手段とグリル３の点火・消火操作手段とを混同して誤操作するというようなおそれもないものである。
【００４５】
また、本発明においては、操作パネル５を２つ設け、一方の操作パネル５にグリルの点火・消火スイッチ６を備えたグリル用調理設定入力部７を設けると共に他方の操作パネル５に温度センサ付きガスこんろ部２ａによる調理設定の入力を行うためのガスこんろ部用調理設定入力部８を設けているので、単一の操作パネルにグリルのグリル用調理設定入力部７とガスこんろ部用調理設定入力部８とを設けた場合に比べ、グリル用調理設定入力部７とガスこんろ部用調理設定入力部８との区別がはっきりと判り、誤操作するようなおそれがないものである。
【００４６】
ここで、本発明においては、調理器具本体１の上面の左右に配置したガスこんろ部２のうちの一つがなべ底の温度を検知して燃焼制御を行うようにした温度センサ付きガスこんろ部２ａとなっており、また、調理器具本体１の前面の左右に収納自在な操作パネル５を設け、上記温度センサ付きガスこんろ部２ａ側の操作パネル５がガスこんろ部用調理設定入力部８を備えたガスこんろ部側操作パネル５ａとなり、他方の操作パネル５がグリル３の点火・消火スイッチ６付きのグリル用調理設定入力部７を備えたグリル側操作パネル５ｂとなっている。つまり、添付図面に示す実施形態においては、調理器具本体１の上面の左側に温度センサ付きガスこんろ部２ａが配置してあるので、調理器具本体１の前面の左側にガスこんろ部側操作パネル５ａを備えた可動部材１０（こんろ部側可動部材１０ａ）が配置してあり、調理器具本体１の前面の右側にグリル側操作パネル５ｂを備えた可動部材１０（グリル側可動部材１０ｂ）が配置してある。このようにすると、温度センサ付きガスこんろ部２ａの調理設定入力を行うための操作パネル５と温度センサ付きガスこんろ部２ａとが対応する位置関係にあって、操作性を向上させることができ、また、収納状態にある２つの操作パネル５のうちどの操作パネル５が温度センサ付きガスこんろ部２ａの操作パネル５であるか、又は、グリル３に対応した操作パネル５であるかが判り、いっそう誤操作を防止し操作性を向上させることができるものである。
【００４７】
ここで、本発明においては、左右２つの可動部材取付け部９を構成する枠体２７の取付け用開口部９ａは同一又はほぼ同じ大きさ形状をしており、また、こんろ部側操作パネル５ａを備えた可動部材１０、グリル側操作パネル５ｂを備えた可動部材１０は同一又はほぼ同じ大きさ形状をしており、可動部材１０の軸支構造も同じ構造をしており、左右いずれの取付け用開口部９ａに対しても、こんろ部側操作パネル５ａを備えた可動部材１０、グリル側操作パネル５ｂを備えた可動部材１０のいずれも選択的に取付けることができるようになっている。したがって、調理器具本体１の上面の左側に温度センサ付きガスこんろ部２ａが位置する機種の場合には調理器具本体１の左側の可動部材取付け部９にガスこんろ部側操作パネル５ａを備えたこんろ部側可動部材１０ａを取付け、前面の右側の可動部材取付け部９にグリル側操作パネル５ｂを備えたグリル側可動部材１０ｂを取付け、また、調理器具本体１の上面の右側に温度センサ付きガスこんろ部２ａが位置する機種の場合には調理器具本体１の右側の可動部材取付け部９にガスこんろ部側操作パネル５ａを備えたこんろ部側可動部材１０ａを取付け、前面の左側の可動部材取付け部９にグリル側操作パネル５ｂを備えたグリル側可動部材１０ｂを取付けるということが可能となり、この結果、ガスこんろ部側操作パネル５ａを備えたこんろ部側可動部材１０ａ、グリル側操作パネル５ｂを備えたグリル側可動部材１０ｂを２機種のいずれにも共通して使用でき、部品の共通化、取付け方法の共通化がはかれるものである。
【００４８】
調理器具本体１の内部の電装部品や操作パネル５の点検、修理、交換やあるいは配線の点検、電池の交換をするに当たっては、可動部材１０に設けた蓋２１を開いて開口部２０をオープンにして点検、修理、交換をしたり、配線の点検をしたり、電池収納部２６に収納する電池の交換を行ったりするものである。この際、蓋２１を外して操作パネル５を背面側からだけで点検、修理したり、あるいは調理器具本体１の内部の電装部品の点検、修理を行うことが出来る場合は、可動部材１０を外す必要はないが、必要に応じて可動部材１０を外して点検、修理を行うと点検、修理がいっそうやり易くなるものである。なお、調理器具本体１内の電装部品と操作パネル５との配線接続に当たってはコネクタ接続で行うが、このコネクタ接続作業も上記のように蓋２１を開くことで簡単に行えるものである。
【００４９】
【発明の効果】
上記のように本発明の請求項１記載の発明にあっては、調理器具本体の前面に操作パネルを備えた可動部材を操作パネルが外部に露出しないように調理器具本体内に収納した状態と調理器具本体の外に露出する非収納状態とを選択できるように可動自在に取付け、可動部材に上記調理器具本体内に連通する開口部を設けると共に該開口部を開閉するための蓋を設けてあるので、非使用状態では操作パネルが露出せず、使用する場合には前面に突出させて容易に操作できるのみならず、操作パネルを収納自在とするための可動部材に設けた蓋を開いて調理器具本体の内部の電装部品や操作パネルの点検、修理、交換、配線の接続、接続解除作業が容易に行えるものであり、しかも、操作パネルを備えた可動部材に蓋付きの開口部を設けてあるので、可動部材を有効に利用して開口部を形成できて可動部材とは別に点検、修理、交換のための別途蓋付き開口部を調理器具本体の前面に設ける必要がなく、この結果、調理器具本体の前面に回動自在に取付ける可動部材が小さくならず、可動部材に取付ける操作パネルの大きさを大きくできて操作性が良くなるものである。
【００５０】
また、請求項２記載の発明にあっては、上記請求項１記載の発明の効果に加えて、調理器具本体の前面部に可動部材取付け部を設け、この可動部材取付け部の取付け用開口の両側部に設けた取付け部側軸支部に可動部材の両側の外面側に設けた外面側被軸支部を着脱自在に軸支して可動部材取付け部の両側部間に可動部材を回動自在に取付けると共に、可動部材の両側部の内面側に設けた内面側軸支部に蓋の両側部に設けた蓋側被軸支部を着脱自在に軸支して可動部材の両側部間に開口部を開閉するための蓋を回動自在に取付けてあるので、蓋を取付けない状態で可動部材の両側を内側に撓ませながら可動部材の外側被軸支部を可動部材取付け部の取付け用開口の両側部の取付け部側軸支部に軸支して取付けることができ、また、蓋の両端部の蓋側被軸支部を可動部材の両側部の内面側に設けた内面側軸支部に軸支して取付けることができ、取り外しに当たっては上記と逆の順序で簡単に取り外すことができて、可動部材、蓋の取付けが簡単に行えるものであり、電装部品や操作パネルの点検、修理、交換に当たって、必要により、可動部材を外して行うことも可能となって、いっそう点検、修理、交換作業が容易となるものである。また、取付け状態においては、蓋を軸支することで可動部材が内側に撓もうとしても蓋が抵抗となって内側に撓むのが防止され、これにより蓋を取り外さない限り可動部材が可動部材取付け部から外れ難い構造とすることができ、可動部材の可動操作中に可動部材が不用意に外れたりするというトラブルをなくすことができるものである。
【００５１】
また、請求項３記載の発明にあっては、上記請求項１又は請求項２記載の発明の効果に加えて、調理器具本体内に電池収納部を設け、該電池収納部を可動部材に設けた蓋を備えた開口部と対向する位置に配設してあるので、操作パネルを備えた可動部材を調理器具本体に取付けた状態のまま蓋を外して開口部を利用して電池収納部にセットする電池の交換が容易に行えるものである。
【００５２】
また、請求項４記載の発明にあっては、上記請求項１乃至請求項３のいずれかに記載の発明の効果に加えて、調理器具本体に調理器具本体の上面の少なくとも左右にガスこんろ部を配設し、左右のガスこんろ部のうちの一つをなべ底の温度を検知して燃焼制御を行うようにした温度センサ付きガスこんろ部とし、調理器具本体の前面の左右に可動部材取付け部を設け、左右両可動部材取付け部にガスこんろ部に対する調理設定入力操作を行うための操作パネルを備えたガスこんろ側可動部材と、グリルに対する調理設定入力操作を行うための操作パネルを備えたグリル側可動部材とを取付け可能として、左右両可動部材取付け部のうち温度センサ付きガスこんろ部側の可動部材取付け部にガスこんろ側可動部材を取付けると共に他方の可動部材取付け部にグリル側可動部材を取付けてあるので、温度センサ付きガスこんろ部が左側に配置された器具、右側に配置された器具のいずれに対しても簡単に温度センサ付きガスこんろ部側の可動部材取付け部にガスこんろ側可動部材を取付けることができ、簡単な構成で部材の共通化と取付けの共通化が図れるものである。
【図面の簡単な説明】
【図１】本発明の操作パネルを突出させ且つ点火・消火手動操作部を突出させた状態におけるグリル付きガスこんろの斜視図である。
【図２】同上の点火・消火手動操作部の一つを突出させ且つ残りの点火・消火手動操作部を非突出状態とし且つ操作パネルを収納した状態におけるグリル付きガスこんろの斜視図である。
【図３】同上の温度センサ付きガスこんろ部を使用するために温度センサ付きガスこんろ部側の点火・消火手動操作部を突出させると共に温度センサ付きガスこんろ部の調理設定入力を行うためにガスこんろ部側操作パネルを突出させた状態の斜視図である。
【図４】同上のすべての点火・消火手動操作部を非突出状態とすると共にすべての操作パネルを収納した状態におけるグリル付きガスこんろの斜視図である。
【図５】同上の操作パネルを突出した状態の前面図である。
【図６】同上の操作パネルを収納した状態の前面図である。
【図７】同上の可動部材取付け部を構成する枠体に可動部材を取付けて前方に回動させて操作パネルを前方に突出させた状態の斜視図である。
【図８】同上の可動部材取付け部を構成する枠体に可動部材を取付けて後方に回動させて操作パネルを収納した状態の斜視図である。
【図９】同上の可動部材に蓋を取付け且つ開口部を開いた状態の斜視図である。
【図１０】同上の可動部材に蓋を取付け且つ開口部を閉じた状態の斜視図である。
【図１１】同上の可動部材を前方に回動して操作パネルを露出させた状態の断面図である。
【図１２】同上の蓋を開いて開口部をオープンにした状態の電池収納部を備えた部分の断面図である。
【図１３】同上の電池収納部、取付け金具を示す斜視図である。
【図１４】同上に用いる可動部材を示し、（ａ）は平面図であり、（ｂ）は正面図であり、（ｃ）は側断面図である。
【図１５】同上に用いる蓋を示し、（ａ）は正面図であり、（ｂ）は側断面図であり、（ｃ）は平面図である。
【図１６】同上のグリル側操作パネルの平面図である。
【図１７】同上のガスこんろ部側操作パネルの平面図である。
【符号の説明】
１  調理器具本体
５  操作パネル
９  可動部材取付け部
１０  可動部材
２０  開口部
２１  蓋
２２  軸支部
２３  被軸支部
２４  軸支部
２５  被軸支部
２６  電池収納部
【図１】
2004263903.tif 000003
【図２】
2004263903.tif 000004
【図３】
2004263903.tif 000005
【図４】
2004263903.tif 000006
【図５】
2004263903.tif 000007
【図６】
2004263903.tif 000008
【図７】
2004263903.tif 000009
【図８】
2004263903.tif 000010
【図９】
2004263903.tif 000011
【図１０】
2004263903.tif 000012
【図１１】
2004263903.tif 000013
【図１２】
2004263903.tif 000014
【図１３】
2004263903.tif 000015
【図１４】
2004263903.tif 000016
【図１５】
2004263903.tif 000017
【図１６】
2004263903.tif 000018
【図１７】
2004263903.tif 000019